(57)【要約】【課題】高圧側において絶縁破壊が生じ難い構造とする。【解決手段】１次巻線５１と２次巻線５１とが区分けされて、それぞれが巻回されたＩ型コア１と、前記Ｉ型コア１の端部において磁気結合され、略Ｕ字型の形状を有するＵ型コア２とにより構成され、前記Ｕ型コア２は、前記Ｉ型コア１の両端部に磁気結合する２つの脚部２１、２１と、この２つの脚部２１、２１をつなぐ胴部２０とからなり、前記胴部２０においては、前記１次巻線５１に対向する側面部と前記２次巻線５２に対向する側面部との境界に段部２２が形成され、前記２次巻線５２に対向する側面部に凹部２３が形成されている。【選択図】　図１
2004031647.tif 000002
【特許請求の範囲】
【請求項１】
１次巻線と２次巻線とが区分けされて、それぞれが巻回されたＩ型コアと、
前記Ｉ型コアの端部において磁気結合され、略Ｕ字型の形状を有するＵ型コアとにより構成され、
前記Ｉ型コアに巻回された前記１次巻線及び前記２次巻線に対向する前記Ｕ型コアにおける側面部は、前記２次巻線側において、前記１次巻線側におけるよりも、前記Ｉ型コアから離間するように構成されていることを特徴とするインバータトランス。
【請求項２】
前記Ｕ型コアは、前記Ｉ型コアの両端部に磁気結合する２つの脚部と、この２つの脚部間をつなぐ胴部とからなり、
前記胴部においては、前記１次巻線に対向する側面部と前記２次巻線に対向する側面部との境界に段部が形成され、前記２次巻線に対向する側面部に凹部が形成されていることを特徴とする請求項１に記載のインバータトランス。
【請求項３】
前記Ｕ型コアは、前記Ｉ型コアの両端部に磁気結合する２つの脚部と、この２つの脚部間をつなぐ胴部とからなり、
前記胴部においては、前記１次巻線に対向する側面部と前記２次巻線に対向する側面部との境界部分から、前記２次巻線が巻回されている側の端部へ向かって細くなるようにテーパ面が形成されていることを特徴とする請求項１に記載のインバータトランス。
【請求項４】
前記Ｕ型コアは、前記Ｉ型コアの両端部に磁気結合する２つの脚部と、この２つの脚部間をつなぐ胴部とからなり、
前記胴部においては、その側面部が、前記１次巻線が巻回されている側の端部から前記２次巻線が巻回されている側の端部へ向かって細くなるようにテーパ面が形成されていることを特徴とする請求項１に記載のインバータトランス。
【発明の詳細な説明】
【０００１】
【発明の属する技術分野】
この発明は、Ｉ型コアとＵ型コアとを組み合わせたコアにより構成したインバータトランスに関するものである。
【０００２】
【従来の技術】
従来、この種のインバータトランスは、図７、図８に示されるように構成される。Ｉ型コア１００とＵ型コア２００とを磁気結合して磁路を形成する。Ｉ型コア１００は、ケース３０の筒部３１に、両端部が露出する状態に挿入される。
【０００３】
Ｕ型コア２００の端部は、本体部から直角を成して形成され、上記Ｉ型コア１００の端部に磁気結合させられている。ケース３０における筒部３１の外周には、隔壁３２が形成されており、この隔壁３２より図７における左側には１次巻線５１が巻回されており、隔壁３２より図７における右側には２次巻線５２が巻回されている。
【０００４】
Ｉ型コア１００の左端部にはケース３０の端部から突出する端子３３が植設されており、この端子３３には１次巻線５１の末端が接続される。また、Ｉ型コア１００の右端部にはケース３０の端部から突出する端子３４が植設されており、この端子３４には２次巻線５２の末端が接続される。
【０００５】
【発明が解決しようとする課題】
以上のように構成されたインバータトランスにおいては、高圧側である２次巻線５２の特に端部付近（端子３４に近い側）において絶縁破壊が生じ易いものである。
【０００６】
本発明は上記のような従来のインバータトランスにおける問題点を解決せんとしてなされたもので、その目的は、高圧側において絶縁破壊が生じ難い構造を持つインバータトランスを提供することである。
【０００７】
【課題を解決するための手段】
本発明に係るインバータトランスは、１次巻線と２次巻線とが区分けされて、それぞれが巻回されたＩ型コアと、前記Ｉ型コアの端部において磁気結合され、略Ｕ字型の形状を有するＵ型コアとにより構成され、前記Ｉ型コアに巻回された前記１次巻線及び前記２次巻線に対向する前記Ｕ型コアにおける側面部は、前記２次巻線側において、前記１次巻線側におけるよりも、前記Ｉ型コアから離間するように構成されていることを特徴とする。
【０００８】
本発明に係るインバータトランスは、前記Ｕ型コアは、前記Ｉ型コアの両端部に磁気結合する２つの脚部と、この２つの脚部間をつなぐ胴部とからなり、前記胴部においては、前記１次巻線に対向する側面部と前記２次巻線に対向する側面部との境界に段部が形成され、前記２次巻線に対向する側面部に凹部が形成されていることを特徴とする。
【０００９】
本発明に係るインバータトランスは、前記Ｕ型コアは、前記Ｉ型コアの両端部に磁気結合する２つの脚部と、この２つの脚部間をつなぐ胴部とからなり、前記胴部においては、前記１次巻線に対向する側面部と前記２次巻線に対向する側面部との境界部分から、前記２次巻線が巻回されている側の端部へ向かって細くなるようにテーパ面が形成されていることを特徴とする。
【００１０】
本発明に係るインバータトランスは、前記Ｕ型コアは、前記Ｉ型コアの両端部に磁気結合する２つの脚部と、この２つの脚部間をつなぐ胴部とからなり、前記胴部においては、その側面部が、前記１次巻線が巻回されている側の端部から前記２次巻線が巻回されている側の端部へ向かって細くなるようにテーパ面が形成されていることを特徴とする。
【００１１】
【発明の実施の形態】
以下添付図面を参照して、本発明に係るインバータトランスの実施の形態を説明する。各図において同一の構成要素には同一の符号を付し、重複する説明を省略する。図１、図２に本発明に係るインバータトランスの第１の実施の形態を示す。このインバータトランスは、Ｉ型コア１とＵ型コア２とを磁気結合して磁路を形成する。Ｉ型コア１は、ケース３０の筒部３１に、両端部が露出する状態に挿入される。
【００１２】
Ｕ型コア２は、略Ｕ字型の形状を有し、実際には、Ｉ型コア１の両端部に磁気結合する２つの脚部２１、２１と、この２つの脚部２１、２１間をつなぐ胴部２０とからなり、脚部２１、２１は胴部２０から直角に曲げられた方向に形成されている。上記Ｕ型コア２の脚部２１、２１は、Ｉ型コア１の端部に磁気結合させられている。
【００１３】
Ｉ型コア１は、ケース３０の筒部３１に、両端部が露出する状態に挿入される。ケース３０における筒部３１の外周には、隔壁３２が形成されており、この隔壁３２より図１における左側には１次巻線５１が巻回されており、隔壁３２より図１における右側には２次巻線５２が巻回されている。Ａ−Ａ断面図は、図８に示されるようであり、従来のものと変わらない。
【００１４】
Ｉ型コア１の左端部にはケース３０の端部から突出する端子３３が植設されており、この端子３３には１次巻線５１の末端が接続される。また、Ｉ型コア１の右端部にはケース３０の端部から突出する端子３４が植設されており、この端子３４には２次巻線５２の末端が接続される。
【００１５】
Ｉ型コア１に巻回された１次巻線５１及び２次巻線５２に対向するＵ型コア２における側面部は、２次巻線５２の側において、１次巻線５１の側におけるよりも、Ｉ型コア１から離間するように構成されている。具体的には、胴部２０においては、１次巻線５１に対向する側面部と２次巻線５２に対向する側面部との境界に段部２２が形成されている。そして、胴部２０において、２次巻線５２に対向する側面部は凹部２３とされ、２次巻線５２からＵ型コア２の胴部２０までの距離が、１次巻線５１からＵ型コア２の胴部２０までの距離よりも大きく構成されている。
【００１６】
このような構成によって、２次巻線５２からＵ型コア２の胴部２０までの距離が従来よりも大きくされていることから、高圧側である２次巻線５２の特に端部付近（端子３４に近い側）においても絶縁破壊が生じ難くなる。また、この凹部２３の部分において、２次巻線５２の外側にスペースが生じ、漏れ磁束による漏インダクタンスを大きくでき、必要なインダクタンスを得ることができる。
【００１７】
次に、図３、図４に示されている第２の実施の形態に係るインバータトランスを説明する。この第２の実施の形態に係るインバータトランスでは、Ｕ型コア２Ａの胴部２０においては、１次巻線５１に対向する側面部と２次巻線５２に対向する側面部との境界部分２５から、２次巻線５２が巻回されている側の端部へ向かって細くなるようにテーパ面２６が形成されている。
【００１８】
Ｕ型コア２Ａの胴部２０においては、境界部分２５から１次巻線５１に対向する側面部が平坦部２７とされている。Ａ−Ａ断面図は、図８に示されるようであり、従来のものと変わらない。
【００１９】
このような構成によって、境界部分２５から２次巻線５２の端部付近（端子３４に近い側）へ進むほど、２次巻線５２からＵ型コア２の胴部２０までの距離が徐々に大きくされ、特に２次巻線５２の端部付近（端子３４に近い側）では上記距離が従来より大きくされていることから、高圧側である２次巻線５２の特に端部付近（端子３４に近い側）においても絶縁破壊が生じ難くなる。また、このテーパ面２６の部分において、２次巻線５２の外側にスペースが生じ、漏れ磁束による漏インダクタンスを大きくでき、必要なインダクタンスを得ることが可能である。
【００２０】
次に、図５、図６に示されている第３の実施の形態に係るインバータトランスを説明する。この第３の実施の形態に係るインバータトランスでは、Ｕ型コア２Ｂの胴部２０においては、その側面部が、１次巻線５１が巻回されている側の端部から２次巻線５２が巻回されている側の端部へ向かって細くなるようにテーパ面２８が形成されている。Ａ−Ａ断面図は、図８に示されるようであり、従来のものと変わらない。
【００２１】
このような構成によって、Ｕ型コア２Ｂの胴部２０の側部においては、１次巻線５１から２次巻線５２の端部付近（端子３４に近い側）へ進むほど、２次巻線５２からＵ型コア２の胴部２０までの距離が徐々に大きくされ、特に２次巻線５２の端部付近（端子３４に近い側）では上記距離が従来より大きくされていることから、高圧側である２次巻線５２の特に端部付近（端子３４に近い側）においても絶縁破壊が生じ難くなる。
【００２２】
また、このテーパ面２８の部分において、２次巻線５２の外側にスペースが生じ、漏れ磁束による漏インダクタンスを大きくでき、必要なインダクタンスを得ることが可能である。
【００２３】
以上の第２及び第３の実施の形態では、テーパ面２６、２８を平面に構成したが、曲面としても良い。また、図１を用いた説明においては、ケース３０の端部から突出する端子３３の内の任意の端子３３に１次巻線５１の末端が接続され、また、ケース３０の端部から突出する端子３４の内の任意の端子３４に２次巻線５２の末端が接続されるものとしたが、このような結線の方法以外に、図１（ａ）における端子３３の内の最も下端の端子３３に２次巻線の巻き始め端部を接続し、端子３４の内の下端の端子３４に２次巻線の巻き終わり端部を接続するようにしても良い。
【００２４】
【発明の効果】
以上説明したように本発明によれば、Ｕ型コアにおける側面部は、２次巻線側において、１次巻線側におけるよりも、Ｉ型コアから離間するように構成されているので、高圧側である２次巻線端部付近においても絶縁破壊が生じ難く、耐圧の大きなトランスを得ることができる。
【図面の簡単な説明】
【図１】本発明の第１の実施の形態の構成を示す図であり、（ａ）はインバータトランスの構成を示す平面図、（ｂ）はコアの部分を示す平面図。
【図２】本発明の第１の実施の形態のコア部分を示す斜視図。
【図３】本発明の第２の実施の形態の構成を示す図であり、（ａ）はインバータトランスの構成を示す平面図、（ｂ）はコアの部分を示す平面図。
【図４】本発明の第２の実施の形態のコア部分を示す斜視図。
【図５】本発明の第３の実施の形態の構成を示す図であり、（ａ）はインバータトランスの構成を示す平面図、（ｂ）はコアの部分を示す平面図。
【図６】本発明の第３の実施の形態のコア部分を示す斜視図。
【図７】従来例の構成を示す図であり、（ａ）は従来のインバータトランスの構成を示す平面図、（ｂ）は従来のコアの部分を示す平面図。
【図８】図１、図３、図５及び図７の（ａ）におけるＡ−Ａ断面図。
【符号の説明】
１　Ｉ型コア
２　Ｕ型コア
２Ａ　Ｕ型コア
２Ｂ　Ｕ型コア
２０　胴部
２１　脚部
２２　段部
２３　凹部
２５　境界部分
２６　テーパ面
２７　平坦部
２８　テーパ部
３０　ケース
３１　筒部
３２　隔壁
３３　端子
３４　端子
５１　１次巻線
５２　２次巻線
【図１】
2004031647.tif 000003
【図２】
2004031647.tif 000004
【図３】
2004031647.tif 000005
【図４】
2004031647.tif 000006
【図５】
2004031647.tif 000007
【図６】
2004031647.tif 000008
【図７】
2004031647.tif 000009
【図８】
2004031647.tif 000010